(57)【要約】【課題】ＩＣカード認証機能を有する携帯端末装置において、高いセキュリティ性を保ち、かつ、ユーザの利便性を損なわないようにする携帯端末装置、ＩＣカード認証制御方法及びプログラムを提供する。【解決手段】ＩＣカード認証機能を有する携帯端末装置において、携帯端末装置内に備えられた所定の機能、及び、携帯端末装置内に保持された所定のデータのうち少なくとも１つと連動し、認証可能なＩＣカードを、同時刻に１つのみ存在するよう切り替える、あるいは、一時的に無効にする制御を行う制御手段を設けたことを特徴とする。【選択図】図２
2008211582.tif 000002
【特許請求の範囲】
【請求項１】
ＩＣカード認証機能を有する携帯端末装置において、
前記携帯端末装置内に備えられた所定の機能、及び、前記携帯端末装置内に保持された所定のデータのうち少なくとも１つと連動し、認証可能なＩＣカードを、同時刻に１つのみ存在するよう切り替える、あるいは、一時的に無効にする制御を行う制御手段を設けたことを特徴とする携帯端末装置。
【請求項２】
前記携帯端末装置内に備えられた機能毎、及び、前記携帯端末装置内に保持されたデータ毎に、前記認証可能なＩＣカードを関連付けた関連付け情報を有し、
前記制御手段は、
前記所定の機能及び前記所定のデータが使用された際に、前記関連付け情報に基づいて、前記認証可能なＩＣカードを、同時刻に１つのみ存在するよう切り替える、あるいは、一時的に無効にする制御を行うことを特徴とする請求項１記載の携帯端末装置。
【請求項３】
前記制御手段が、前記認証可能なＩＣカードを、切り替えた際、あるいは、一時的に無効にした際、前記携帯端末装置のユーザのみが認識できる方法を用いて、現在認証可能なＩＣカードを通知する通知手段を設けたことを特徴とする請求項１又は２記載の携帯端末装置。
【請求項４】
前記通知手段は、予めされた設定に基づいて、前記携帯端末装置の表示画面に所定の画像を新たに表示する、又は、前記携帯端末装置の表示画面に表示中の画像を変更することにより、前記現在認証可能なＩＣカードを通知することを特徴とする請求項３記載の携帯端末装置。
【請求項５】
ＩＣカード認証機能を有する端末装置のＩＣカード認証制御方法において、
前記端末装置内に備えられた所定の機能、及び、前記端末装置内に保持された所定のデータのうち少なくとも１つと連動し、認証可能なＩＣカードを、同時刻に１つのみ存在するよう切り替える、あるいは、一時的に無効にする制御を行う制御ステップを有することを特徴とするＩＣカード認証制御方法。
【請求項６】
前記端末装置内に備えられた機能毎、及び、前記端末装置内に保持されたデータ毎に、前記認証可能なＩＣカードを予め関連付けて記憶しておく関連付け記憶ステップを有し、
前記制御ステップは、
前記所定の機能及び前記所定のデータが使用された際に、前記関連付けに基づいて、前記認証可能なＩＣカードを、同時刻に１つのみ存在するよう切り替える、あるいは、一時的に無効にする制御を行うことを特徴とする請求項５記載のＩＣカード認証制御方法。
【請求項７】
前記制御ステップにより、前記認証可能なＩＣカードを、切り替えた際、あるいは、一時的に無効にした際、前記端末装置のユーザのみが認識できる方法を用いて、現在認証可能なＩＣカードを通知する通知ステップを設けたことを特徴とする請求項５又は６記載のＩＣカード認証制御方法。
【請求項８】
前記通知ステップは、予めされた設定に基づいて、前記端末装置の表示画面に所定の画像を新たに表示する、又は、前記端末装置の表示画面に表示中の画像を変更することにより、前記現在認証可能なＩＣカードを通知することを特徴とする請求項７記載のＩＣカード認証制御方法。
【請求項９】
ＩＣカード認証機能を有する端末装置に実行させるためのプログラムにおいて、
前記端末装置内に備えられた所定の機能、及び、前記端末装置内に保持された所定のデータのうち少なくとも１つと連動し、認証可能なＩＣカードを、同時刻に１つのみ存在するよう切り替える、あるいは、一時的に無効にする制御処理を前記端末装置に実行させることを特徴とするプログラム。
【請求項１０】
前記端末装置内に備えられた機能毎、及び、前記端末装置内に保持されたデータ毎に、前記認証可能なＩＣカードを予め関連付けて記憶しておく関連付け記憶処理を実行させ、
前記制御処理は、
前記所定の機能及び前記所定のデータが使用された際に、前記関連付けに基づいて、前記認証可能なＩＣカードを、同時刻に１つのみ存在するよう切り替える、あるいは、一時的に無効にする制御を行うことを特徴とする請求項９記載のプログラム。
【請求項１１】
前記制御処理により、前記認証可能なＩＣカードを、切り替えた際、あるいは、一時的に無効にした際、前記端末装置のユーザのみが認識できる方法を用いて、現在認証可能なＩＣカードを通知する通知処理を前記端末装置に実行させることを特徴とする請求項９又は１０記載のプログラム。
【請求項１２】
前記通知処理は、予めされた設定に基づいて、前記端末装置の表示画面に所定の画像を新たに表示する、又は、前記端末装置の表示画面に表示中の画像を変更することにより、前記現在認証可能なＩＣカードを通知することを特徴とする請求項１１記載のプログラム。
【発明の詳細な説明】
【技術分野】
【０００１】
本発明は、ＩＣカード認証機能を有し、その認証を許可するＩＣカードを単数、あるいは複数登録できる携帯端末装置、ＩＣカード認証制御方法及びプログラムに関する。
【背景技術】
【０００２】
従来、携帯電話装置においては、「ユーザデータ保護」や「装置全体のセキュリティ確保」などの目的を達成するため、該当する場面では暗証番号の入力が求められていた。
しかし、暗証番号には、「初期値が全て同じである」や「各人の個人データと関連付けられていることが多い」といった特徴があり、推測されやすく他人にやぶられやすいという弱点が存在していた。
【０００３】
そこで、暗証番号を入力する代替手段として、ＩＣカードを認証させる機能が登場した（例えば、特許文献１〜３参照）。これは、認証に使用したい（複数の）ＩＣカードを、予め携帯電話装置に登録しておくことで、暗証番号入力の代替手段として利用できるというものである。複数登録できることで、ユーザによる使い分けを可能にしていた。例えば、平日と休日による、社員証（ＩＣチップ付き）と乗車券（ＩＣカード付き）の使い分けである。
【０００４】
このＩＣカード認証機能により、暗証番号が推測されるという弱点は補えたものの、同時に認証を成立させる手段が複数存在することであり、セキュリティ上望ましいものではなかった。なぜならば、平日に社員証を携帯している人は少なく、わざわざ認証を許可する必要はないからである。
【特許文献１】特開２００６−３０３７４７号公報
【特許文献２】特開２００６−１３６０３号公報
【特許文献３】特開２００５−２６９１１６号公報
【発明の開示】
【発明が解決しようとする課題】
【０００５】
従来、ＩＣカード認証機能を備えた携帯電話装置において、次のような課題があった。
第１の課題は、同時に使うはずのない、認証可能なＩＣカードが同時刻に複数存在していたため、セキュリティ面において弱点があったことである。
第２の課題は、認証可能なＩＣカードの切り替え方法として、ユーザが手動で行う方法しか提供されていなかった。そのため、頻繁に切り替えが行われず、セキュリティ面において弱点があったことである。
第３の課題は、認証可能なＩＣカードを、ユーザの予定や場所などを考慮せずに、一律で登録させていたため、ユーザの細かい利用シーンに対応できていなかったことである。
【０００６】
本発明は、上記事情に鑑みてなされたものであり、ＩＣカード認証機能を有する携帯端末装置において、高いセキュリティ性を保ち、かつ、ユーザの利便性を損なわないようにすることを目的とする。
【課題を解決するための手段】
【０００７】
かかる目的を達成するために、請求項１記載の発明は、ＩＣカード認証機能を有する携帯端末装置において、携帯端末装置内に備えられた所定の機能、及び、携帯端末装置内に保持された所定のデータのうち少なくとも１つと連動し、認証可能なＩＣカードを、同時刻に１つのみ存在するよう切り替える、あるいは、一時的に無効にする制御を行う制御手段を設けたことを特徴とする。
【０００８】
請求項２記載の発明において、請求項１記載の発明において、携帯端末装置内に備えられた機能毎、及び、携帯端末装置内に保持されたデータ毎に、認証可能なＩＣカードを関連付けた関連付け情報を有し、制御手段は、所定の機能及び所定のデータが使用された際に、関連付け情報に基づいて、認証可能なＩＣカードを、同時刻に１つのみ存在するよう切り替える、あるいは、一時的に無効にする制御を行うことを特徴とする。
【０００９】
請求項３記載の発明において、請求項１又は２記載の発明において、制御手段が、認証可能なＩＣカードを、切り替えた際、あるいは、一時的に無効にした際、携帯端末装置のユーザのみが認識できる方法を用いて、現在認証可能なＩＣカードを通知する通知手段を設けたことを特徴とする。
【００１０】
請求項４記載の発明は、請求項３記載の発明において、通知手段は、予めされた設定に基づいて、携帯端末装置の表示画面に所定の画像を新たに表示する、又は、携帯端末装置の表示画面に表示中の画像を変更することにより、現在認証可能なＩＣカードを通知することを特徴とする。
【００１１】
請求項５記載の発明は、ＩＣカード認証機能を有する端末装置のＩＣカード認証制御方法において、端末装置内に備えられた所定の機能、及び、端末装置内に保持された所定のデータのうち少なくとも１つと連動し、認証可能なＩＣカードを、同時刻に１つのみ存在するよう切り替える、あるいは、一時的に無効にする制御を行う制御ステップを有することを特徴とする。
【００１２】
請求項６記載の発明は、請求項５記載の発明において、端末装置内に備えられた機能毎、及び、端末装置内に保持されたデータ毎に、認証可能なＩＣカードを予め関連付けて記憶しておく関連付け記憶ステップを有し、制御ステップは、所定の機能及び所定のデータが使用された際に、関連付けに基づいて、認証可能なＩＣカードを、同時刻に１つのみ存在するよう切り替える、あるいは、一時的に無効にする制御を行うことを特徴とする。
【００１３】
請求項７記載の発明は、請求項５又は６記載の発明において、制御ステップにより、認証可能なＩＣカードを、切り替えた際、あるいは、一時的に無効にした際、端末装置のユーザのみが認識できる方法を用いて、現在認証可能なＩＣカードを通知する通知ステップを設けたことを特徴とする。
【００１４】
請求項８記載の発明は、請求項７記載の発明において、通知ステップは、予めされた設定に基づいて、端末装置の表示画面に所定の画像を新たに表示する、又は、端末装置の表示画面に表示中の画像を変更することにより、現在認証可能なＩＣカードを通知することを特徴とする。
【００１５】
請求項９記載の発明は、ＩＣカード認証機能を有する端末装置に実行させるためのプログラムにおいて、端末装置内に備えられた所定の機能、及び、端末装置内に保持された所定のデータのうち少なくとも１つと連動し、認証可能なＩＣカードを、同時刻に１つのみ存在するよう切り替える、あるいは、一時的に無効にする制御処理を端末装置に実行させることを特徴とする。
【００１６】
請求項１０記載の発明は、請求項９記載の発明において、端末装置内に備えられた機能毎、及び、端末装置内に保持されたデータ毎に、認証可能なＩＣカードを予め関連付けて記憶しておく関連付け記憶処理を実行させ、制御処理は、所定の機能及び所定のデータが使用された際に、関連付けに基づいて、認証可能なＩＣカードを、同時刻に１つのみ存在するよう切り替える、あるいは、一時的に無効にする制御を行うことを特徴とする。
【００１７】
請求項１１記載の発明は、請求項９又は１０記載の発明において、制御処理により、認証可能なＩＣカードを、切り替えた際、あるいは、一時的に無効にした際、端末装置のユーザのみが認識できる方法を用いて、現在認証可能なＩＣカードを通知する通知処理を端末装置に実行させることを特徴とする。
【００１８】
請求項１２記載の発明は、請求項１１記載の発明において、通知処理は、予めされた設定に基づいて、端末装置の表示画面に所定の画像を新たに表示する、又は、端末装置の表示画面に表示中の画像を変更することにより、現在認証可能なＩＣカードを通知することを特徴とする。
【発明の効果】
【００１９】
本発明によれば、ＩＣカード認証機能を有する携帯端末装置において、利便性やセキュリティ性を高めることが可能となる。
【発明を実施するための最良の形態】
【００２０】
以下、本発明を実施するための最良の形態について添付図面を参照して詳細に説明する。
【００２１】
本発明は、ＩＣカード認証機能を有し、その認証を許可するＩＣカードを、単数あるいは複数登録できる携帯端末装置（以下では、例として「携帯電話装置」とするが、これに限定されず、情報処理端末装置であればよい）において、以下の３つの特徴を備える。
【００２２】
１つ目は、携帯電話装置内の所定の機能と連動し、認証を許可するＩＣカードを制御することで、その利便性やセキュリティ性を高めることを特徴とする。例えば、スケジュール管理機能と連動し、認証を許可するＩＣカードを、一時的に許可する／しないといった具合に切り替える制御を行うことで、利便性やセキュリティ性を高める。
【００２３】
２つ目は、携帯電話装置が保持している所定のデータと連動し、認証を許可するＩＣカードを制御することで、その利便性やセキュリティ性を高めることを特徴とする。例えば、時刻データと連動し、複数登録されているが、同時に使用することのない、認証を許可するＩＣカードを、１つ目のＩＣカードを許可／２つ目のＩＣカードを不許可といった具合に切り替える制御を行うことで、利便性やセキュリティ性を高める。
【００２４】
３つ目は、上記切り替えのタイミングで、ユーザに通知する機能を設け、使いやすくすることを特徴とする。例えば、待ち受け画面を切り替える等して、ユーザにのみ分かる方法で通知する機能を設けることで、使いやすくする。
【００２５】
本発明は、上述した従来技術の問題点を改善し、さらには、ユーザに利便性を与えるものである。つまり、携帯電話装置内の機能やデータと連動し、認証可能なＩＣカードを同時に存在させるのではなく、切り替えて使用できるようにすることである。
以下、機能連動、データ連動、通知機能について、具体例を用いながらその解決手段を説明していく。なお、上記各機能は、携帯電話装置に読み込まれたプログラムの制御により実現されるものとする。
【００２６】
〔機能連動〕
機能連動とは、携帯電話装置内にある様々な機能、例えば、スケジュール管理機能、アラーム機能、ＧＰＳ（位置提供）機能などと連動して、認証可能なＩＣカードを切り替えるものである。
【００２７】
ここでは、スケジュール管理機能との連動を具体例に挙げて説明する。
まず、スケジュール管理機能とは、主にカレンダーなどを利用して、ユーザの予定を記入したり、それをアラームで通知したりして、ユーザの予定を管理していく機能である。これらの機能には、休日や祝日、記念日をユーザ自身が設定する機能も備えられている。
【００２８】
本発明では、このスケジュール管理機能内の、
［１］平日と休日、祝日、記念日の設定と連動し、認証可能なＩＣカードを切り替える
［２］ユーザ自身が設定した個々のスケジュールと連動し、認証可能なＩＣカードを切り替える
ことを可能にしている。
【００２９】
より具体的な例としては、
［１］平日は社員証、休日は乗車券、記念日は電子チケットをそれぞれ認証可能にすること
［２］仕事終わりの予定では乗車券、休日の行楽ではその入場券をそれぞれ認証可能にすること
などが挙げられ、場合によっては一度きりのキーとしての設定も可能にし、セキュリティ性を高めている。
【００３０】
〔データ連動〕
データ連動とは、当装置内にある様々なデータ、例えば、時刻データ、電池レベルデータ（電池残量）と連動して、認証可能なＩＣカードを切り替えるものである。
【００３１】
ここでは、時刻データとの連動を具体例に挙げて説明する。
この機能は、アラームなどを具体的に設定しないまでも、決まった時刻に切り替えられるように、携帯電話装置内に保持されている時刻データと連動させる機能である。
【００３２】
より具体的な例としては、
［１］８時３０分から１７時３０分までは社員証で、それ以外は乗車券
などが挙げられる。もちろん、当装置内の機能との併用も可能であり、例えば先のスケジュール管理機能と併用し、「平日のこの時間」、「休日のこの時間」といった使い方も可能にしている。
【００３３】
〔ユーザ通知機能〕
ユーザ通知機能とは、認証可能なＩＣカードを切り替えた際、あるいは、一時的に無効にした際、利用ユーザにのみ分かる方法で「今、認証可能なＩＣカード」を通知することを可能にしている。
【００３４】
具体例としては、
［１］切り替えのタイミングで、待ち受け画面やアイコンなどを、ユーザによって予め関連付けられたものに変更する
が挙げられる。もちろん、より高いセキュリティを求め、本機能を使用しないことも可能にしている。
【００３５】
これにより、認証可能なＩＣカードが複数存在していても、利用ユーザにのみ分かる方法で、現在認証可能なＩＣカードを通知しているので、使いやすさを提供している。
【実施例】
【００３６】
本発明の実施例を、図面を用いながら説明する。図１は、本発明において主要な装置の構成を示す図である。
【００３７】
本発明おいては、まず、暗証番号の代わりに認証を許可する非接触ＩＣカード１４をＩＣカード記憶部７（記憶部６の一部）に登録されていることが必要である。その元で、暗証番号入力の代わりに、非接触ＩＣカード１４をリーダ／ライタ１３を通して認証させる場面において、本発明は効果を発揮する。
【００３８】
「装置内の機能と連動する場合」
例えば、スケジュール機能やアラーム機能などは、制御部８が記憶部６を参照し、そこに保存されている値に従って動作する。この時同時に、音声処理部３や画像処理部４、表示部１０と共に、その内容をユーザに通知する。
【００３９】
そしてこの時、制御部８はＩＣカード記憶部７を参照し、直前に行った動作とＩＣカードの切り替えが関連付けられていれば、それに従い認証可能なＩＣカードを切り替えたり、一時的に無効にしたりする。
【００４０】
さらにこの時、ユーザ通知機能がＯＮになっていれば、それに従い制御部８が、音声処理部３、画像処理部４、表示部１０、などを制御しユーザへの通知を行う。
【００４１】
「その他の場合」
例えば、ＩＣカード切り替えの関連付けが、発着信や電源ＯＮ／ＯＦＦ、ＧＰＳによる位置情報であれば、それぞれ、無線処理部２や電源部１２、ＧＰＳ９と連動して、その切り替えを行う。
【００４２】
上記の中で、ＩＣカードの切り替えやユーザへの通知判断を行うのは制御部８であるが、その判断の基準になっているのは、ＩＣカード記憶部７に保存されている図３や図４、そして図５のような構成から成るファイルである。
【００４３】
図３のファイルは、装置内に認証可能なＩＣカードとして登録されている一覧と、その時の通知方法をまとめたものである。このファイルは、ＩＣカードが登録される度に更新する。
【００４４】
図４のファイルは、装置内の機能やデータと、その時有効にしたい（認証可能にしたい）ＩＣカードを関連付けたものである。さらには、切り替えのタイミングでユーザへの通知を行うか否かも関連付けられている。このファイルは、主にユーザの主体的操作で更新する。
【００４５】
図５のファイルは、現在認証可能なＩＣカードを示しているものである。このファイルは、図４の関連付けに基づき、認証可能なＩＣカードが切り替わる度に更新する。
【００４６】
本発明の実施例の動作について説明する。
装置内のある機能が起動してから、それと連動して認証可能なＩＣカードが切り替わり、それをユーザへ通知するまでの流れを、図２のフローチャートや図３、４、５を用いて説明していく。
【００４７】
まず、図２のフローチャートにおける各処理や条件分岐について記述する。
装置内の任意の機能が起動すると（ステップＳ１）、その機能が、ＩＣカード切り替えに関連付けられているか否かの判断をする（ステップＳ２）。ＩＣカード切り替え登録がされていない場合（ステップＳ２／ＮＯ）、処理を終了する。ＩＣカード切り替え登録がされている場合（ステップＳ２／ＹＥＳ）、関連付けに従い、ＩＣカードの切り替えを行う（ステップＳ３）。認証可能なＩＣカードの更新を行う（ステップＳ４）。上記ＩＣカード切り替えの際、ユーザ通知するか否かの判断をする（ステップＳ５）。関連付けに従い、ユーザへの通知を行う（ステップＳ６）。
【００４８】
以上が、全体の流れとなり、条件分岐の判断（ステップＳ２、ステップＳ５）やそれに付随する処理を行うときには、先の図３、４、５を参照し、その判断を行うこととなる。
【００４９】
次に、全体の流れから各図３〜５を参照する過程を、具体例を挙げながら説明していく。
前提条件として、現在、装置に登録されているＩＣカード一覧を図３とし、ユーザによって、定義されたＩＣカードと装置内機能との関連を図４とし、現在、認証可能なＩＣカードを図５とし、図２のフローチャート内のステップＳ１で起動する機能は、図４に設定されている、○／□、××時のスケジュール機能と仮定する。
【００５０】
まず、ステップＳ１の処理において、○／□、××時、装置内のスケジュール機能が起動する。
【００５１】
すると、当装置は、図４に示すファイル（関連付け一覧ファイル）を参照し、先に起動した機能が、認証可能なＩＣカードを切り替えるよう関連付けられているかを判断する（ステップＳ２）。この場合、図４によれば、○／□、××時のスケジュール機能は、認証可能なＩＣカードをＮｏ２に切り替えるように関連付けられていると判断できる。ちなみに、Ｎｏ２とは、図３から乗車券と読み取れる。
【００５２】
ステップＳ３において、ＩＣカードを切り替えた後は、ステップＳ４おいて、図５の内容を、図６の内容に更新する。
【００５３】
その後、当装置は同じく図４に示すファイルを参照し、ユーザへの通知を行うか否かを判断する（ステップＳ５）。この場合、図４によれば、通知機能がＯＮになっているので、図３の通知方法に従い、通知を行うことになる。具体的には、今回の場合は、△△の電池アイコンに切り替えることになる（ステップＳ６）。
【００５４】
以上説明したように、本発明においては、以下に記載するような効果を奏する。
第１の効果は、認証可能なＩＣカードを同時刻に複数存在させるのではなく、１つにするよう切り替える、あるいは一時的に無効にすることで、そのセキュリティ性を高めている。
第２の効果は、上記切り替えのタイミングを、当装置内の機能やデータと連動させることで、ユーザの予定や場所に沿ったものとなり、その利便性を高めている。
第３の効果は、上記切り替えのタイミングで、利用ユーザにのみ分かる方法で、「今、認証できるＩＣカード」を通知しているので、使いやすさを提供している。
【００５５】
なお、上記実施例の説明において、「機能連動」と「データ連動」とをそれぞれ別々に動作するように説明したが、機能とデータとを組み合わせて、認証可能なＩＣカードを切り替えるよう制御してもよい。
【００５６】
以上、本発明の実施例について説明したが、上記記載に限定されるものではなく、その要旨を逸脱しない範囲において種々の変形が可能である。
【産業上の利用可能性】
【００５７】
本発明は、ＩＣカード認証機能を有する端末装置・機器に適用できる。
【図面の簡単な説明】
【００５８】
【図１】本発明の実施例に係る全体構成を示すブロック図である。
【図２】本発明の実施例に係る動作を示すフローチャートである。
【図３】装置内に登録されている認証可能なＩＣカードと、その通知方法とを一覧にまとめたファイルを示す図である。
【図４】装置内の機能やデータと、その時有効にしたい（認証可能にしたい）ＩＣカードを関連付けたファイルを示す図である。
【図５】現在認証可能なＩＣカードを示すファイルを示す図である。
【図６】現在認証可能なＩＣカードを示すファイルを示す図である。
【符号の説明】
【００５９】
１    アンテナ部
２    無線処理部
３    音声処理部
４    画像処理部
５    データ処理部
６    記憶部
７    ＩＣカード記憶部
８    制御部
９    ＧＰＳ
１０    表示部
１１    操作部
１２    電源部
１３    リーダ／ライタ
１４    非接触ＩＣカード
【図１】
2008211582.tif 000003
【図２】
2008211582.tif 000004
【図３】
2008211582.tif 000005
【図４】
2008211582.tif 000006
【図５】
2008211582.tif 000007
【図６】
2008211582.tif 000008